(57)【要約】【課題】薄型の電子機器に工具を必要とせず簡単に取り付けることが可能なスタンド装置を提供する。【解決手段】薄型電子機器（薄型テレビ１１で例示）用のスタンド装置として、１本の棒状部材１２、平板状の基台１５、及び複数本の線状部材１４ａ〜１４ｄを備える。基台１５は、棒状部材１２の下端部１２ｂと嵌合するための１つの凹部１５ｂと各線状部材１４ａ〜１４ｄのそれぞれを接続するための接続部１６ａ〜１６ｄとをもつ。棒状部材１２は、上端部１２ａがテレビ１１の底面部（凹部１１ｂ）と接続し、且つ下端部１２ｂが凹部１５ｂと嵌合する部材であり、各線状部材１４ａ〜１４ｄは、各接続部１６ａ〜１６ｄと棒状部材１２の上端部（接続部１３ａ，１３ｂ等）との間を接続する部材である。【選択図】図１
2006343653.tif 000002
【特許請求の範囲】
【請求項１】
薄型の電子機器を支持し設置するためのスタンド装置であって、１本の棒状部材、平板状の基台、及び複数本の線状部材を備え、前記基台は、前記棒状部材の下端と嵌合するための１つの凹部と各線状部材のそれぞれを接続するための接続部とをもち、前記棒状部材は、上端が前記電子機器の底面部と接続し、且つ下端が前記凹部と嵌合する部材であり、各線状部材は、各接続部と前記棒状部材の上端部との間を接続する部材であることを特徴とするスタンド装置。
【請求項２】
前記線状部材を少なくとも３本備え、前記基台上における各接続部の位置は、上面から見て各線状部材が均等な角度で配置されるような位置であることを特徴とする請求項１に記載のスタンド装置。
【請求項３】
前記線状部材を少なくとも２本備え、前記棒状部材は、前記凹部と嵌合する部分として下端に屈曲部をもち、前記凹部は、前記基台の水平面に対し前記屈曲部の傾斜と同じ傾斜角をもつものとし、前記基台上における各接続部の位置は、前記棒状部材の前記屈曲部の屈曲位置より最下端側に位置することを特徴とする請求項１に記載のスタンド装置。
【請求項４】
請求項１乃至３のいずれか１項に記載のスタンド装置を備えた薄型の電子機器。
【請求項５】
当該電子機器は、筐体背面に、前記棒状部材を収納するための収納部をもつことを特徴とする請求項４に記載の電子機器。
【請求項６】
前記棒状部材は、前記電子機器の底面部において上端を中心として、下端が前記電子機器の筐体背面に向かって回転可能なよう前記底面部に固定されており、前記収納部は、前記棒状部材の下端を筐体背面まで回転させたときに、前記棒状部材を収納可能に設けられていることを特徴とする請求項５に記載の電子機器。
【請求項７】
前記収納部は、前記棒状部材を上下方向にスライドさせるスライド機構と、該スライド機構により前記棒状部材の上端を底面部までスライドさせたときに前記棒状部材を前記スライド機構に対して固定する固定機構と、該固定機構によって固定された前記棒状部材を前記スライド機構により上方向にスライド可能な状態にする固定解除機構とを有することを特徴とする請求項５に記載の電子機器。
【請求項８】
当該電子機器は表示装置であり、前記出力部は画像表示部であることを特徴とする請求項４乃至７のいずれか１項に記載の電子機器。
【請求項９】
前記表示装置は、ＬＣＤ、ＰＤＰ、ＥＬ、ＳＥＤ、ＬＥＤ、ＶＦＤ、ＦＥＤの各パネルのうちいずれかのパネルを有することを特徴とする請求項８に記載の電子機器。
【発明の詳細な説明】
【技術分野】
【０００１】
本発明は、スタンド装置及びその装置を備えた薄型の電子機器に関し、より詳細には、薄型表示装置等の薄型電子機器を支持して設置するためのスタンド装置、及びそのスタンド装置を備えた薄型の電子機器に関する。
【背景技術】
【０００２】
従来、薄型の表示装置は、その薄さの特徴を生かすために壁掛け設置が可能になるように構成されているだけでなく、表示装置本体とは別体のスタンドを用いたスタンド設置も可能に構成されている。また、近年、液晶ディスプレイ（ＬＣＤ：Ｌｉｑｕｉｄ  Ｃｒｙｓｔａｌ  Ｄｉｓｐｌａｙ）やプラズマディスプレイパネル（ＰＤＰ：Ｐｌａｓｍａ  Ｄｉｓｐｌａｙ  Ｐａｎｅｌ）に代表されるように薄型で大型の表示装置が増える傾向にある。
【０００３】
表示装置等のスタンドに関する技術として、スタンド等に対しテレビジョン受像機等の物品をネジの締め付けによって取り付ける際、工具を使用せず手動により確実に、且つ容易に取り付けることを目的とした部品取り付け装置及びテレビスタンドが提案されている（例えば、特許文献１を参照）。特許文献１に記載の部品取り付け装置は、被駆動部を有する複数の取り付けネジと、複数の被駆動部を同時に回転駆動する駆動装置を具備している。
【０００４】
また、テレビジョン受像機やパーソナルコンピュータ（ＰＣ）のディスプレイ部を任意の高さ、向きに調整可能にして、利便性、快適性を高めることを目的としたディスプレイ用スタンドも提案されている（例えば、特許文献２を参照）。特許文献２に記載のスタンドは、滑りリングの部位の、紐にかかるディスプレイ部側の張力と、重り側の張力が、釣り合うように重りを付け、ディスプレイ部を、任意の高さに支柱に沿って移動できるようになっている。
【特許文献１】特開２００３−３４８４９４号公報
【特許文献２】特開２００１−７５４８７号公報
【発明の開示】
【発明が解決しようとする課題】
【０００５】
しかしながら、特許文献１をはじめとする従来技術による薄型表示装置は、スタンドを表示装置本体やその搭載台にビス止めしているので、組立時間がかかり、労務コストも高いうえに、組立工具も必要となる。また、上述のごとき大型の薄型表示装置は、その大きさ及び重さによって、ユーザが自分でスタンドを取り付けることができない。さらに、スタンド部だけの梱包が大がかりで、コストも高く、廃棄部材を多く出してしまう。なお、特許文献２の技術は、ディスプレイ部を任意の高さや向きに調整することを目的とするものであり、さらにビス止め等の複雑な組立工程を必要とするなど、特許文献１に記載の技術と同様の問題が生じることとなる。
【０００６】
そして、このような問題点は、テレビジョン受像機やＰＣ用の表示モニタ等の画像表示装置に限らず、使用時や梱包時なども含めスタンドを使用する形態と使用しない形態との双方の形態が採り得る薄型の電子機器全般に対して生じ得る。
【０００７】
本発明は、上述のごとき実情に鑑みてなされたものであり、薄型の電子機器に、工具を必要とせず簡単に取り付けることが可能なスタンド装置、及び該装置を備えた薄型の電子機器を提供することをその目的とする。
【課題を解決するための手段】
【０００８】
本発明は、上述のごとき課題を解決するために、以下の各技術手段でそれぞれ構成される。
【０００９】
第１の技術手段は、薄型の電子機器を支持し設置するためのスタンド装置であって、１本の棒状部材、平板状の基台、及び複数本の線状部材を備え、前記基台は、前記棒状部材の下端と嵌合するための１つの凹部と各線状部材のそれぞれを接続するための接続部とをもち、前記棒状部材は、上端が前記電子機器の底面部と接続し、且つ下端が前記凹部と嵌合する部材であり、各線状部材は、各接続部と前記棒状部材の上端部との間を接続する部材であることを特徴としたものである。
【００１０】
第２の技術手段は、第１の技術手段において、前記線状部材を少なくとも３本備え、前記基台上における各接続部の位置は、上面から見て各線状部材が均等な角度で配置されるような位置であることを特徴としたものである。
【００１１】
第３の技術手段は、第１の技術手段において、前記線状部材を少なくとも２本備え、前記棒状部材は、前記凹部と嵌合する部分として下端に屈曲部をもち、前記凹部は、前記基台の水平面に対し前記屈曲部の傾斜と同じ傾斜角をもつものとし、前記基台上における各接続部の位置は、前記棒状部材の前記屈曲部の屈曲位置より最下端側に位置することを特徴としたものである。
【００１２】
第４の技術手段は、第１乃至第３のいずれかの技術手段におけるスタンド装置を備えた薄型の電子機器である。
【００１３】
第５の技術手段は、第４の技術手段において、当該電子機器は、筐体背面に、前記棒状部材を収納するための収納部をもつことを特徴としたものである。
【００１４】
第６の技術手段は、第５の技術手段において、前記棒状部材は、前記電子機器の底面部において上端を中心として、下端が前記電子機器の筐体背面に向かって回転可能なよう前記底面部に固定されており、前記収納部は、前記棒状部材の下端を筐体背面まで回転させたときに、前記棒状部材を収納可能に設けられていることを特徴としたものである。
【００１５】
第７の技術手段は、第５の技術手段において、前記収納部は、前記棒状部材を上下方向にスライドさせるスライド機構と、該スライド機構により前記棒状部材の上端を底面部までスライドさせたときに前記棒状部材を前記スライド機構に対して固定する固定機構と、該固定機構によって固定された前記棒状部材を前記スライド機構により上方向にスライド可能な状態にする固定解除機構とを有することを特徴としたものである。
【００１６】
第８の技術手段は、第４乃至第７のいずれかの技術手段において、当該電子機器は表示装置であり、前記出力部は画像表示部であることを特徴としたものである。
【００１７】
第９の技術手段は、第８の技術手段において、前記表示装置は、ＬＣＤ、ＰＤＰ、ＥＬ、ＳＥＤ、ＬＥＤ、ＶＦＤ、ＦＥＤの各パネルのうちいずれかのパネルを有することを特徴としたものである。
【発明の効果】
【００１８】
本発明によれば、薄型の電子機器に工具を必要とせず簡単にスタンドを取り付けることが可能となる。
【発明を実施するための最良の形態】
【００１９】
図１は、本発明の一実施形態に係るスタンド装置を備えた薄型電子機器の一例を示す概観図で、図２は、図１の薄型電子機器のスタンド装置の取り付け方法を説明するための側面図である。図１及び図２において、１はスタンド装置付きテレビジョン受像機（以下、スタンド付きテレビという）、１１はテレビジョン受像機（以下、テレビという）、１１ａはテレビ背面、１１ｂはテレビ底面の凹部、１２は棒状部材、１２ａは棒状部材の上端部、１２ｂは棒状部材の下端部、１３ａ，１３ｂは棒状部材側の線状部材接続部、１４ａ，１４ｂ，１４ｃ，１４ｄは線状部材、１５は基台、１５ａは棒状部材取付部、１５ｂは凹部、１６ａ，１６ｂ，１６ｃ，１６ｄは基台側の線状部材接続部である。
【００２０】
本実施形態に係るスタンド装置（以下、単に「スタンド」ともいう）は、薄型の電子機器（以下、薄型のテレビ１１で例示）を支持して設置するためのものである。このスタンド装置は、１本の棒状部材１２、平板状の基台１５、及び複数本の線状部材１４ａ〜１４ｄを備えるものとする。なお、線状部材（糸状部材／線条部材ともいう）は４本で例示しているが、３本以上あれば十分に安定化が図れる。
【００２１】
棒状部材１２は、その上端部１２ａがテレビ１１の底面部（例えば凹部１１ｂ）と嵌合などにより接続する一軸状の部材である。一方、棒状部材１２は、その下端部１２ｂが後述の凹部１５ｂと嵌合するようになっている。棒状部材１２は、テレビ１１を線状部材１４ａ〜１４ｄと共に支持するものであればよく、テレビ１１の厚みより径の小さいものとする。また、棒状部材１２の材質は、金属製が好ましいが樹脂製であっても強度が足りていればよい。但し、棒状部材１２は、運搬時や後述する収納部への収納などに際しては細い方が好ましく、また材料コストの観点から空洞のものが好ましく、さらには断面の形状が角を持つ方が強度的に好ましいので、それらの点も留意して材質及び形状を決定するとよい。なお、金属製の部材としては、アルミニウムの押出し材、板金材、ダイキャスト等、適宜のものを用いればよい。
【００２２】
基台１５は、床面に設置するための平板状の部材で、棒状部材１２の下端部１２ｂと嵌合するための１つの凹部１５ｂと各線状部材１４ａ〜１４ｄの一端のそれぞれを接続するための接続部１６ａ〜１６ｄとをもつ。凹部１５ｂは、基台１５のほぼ中央に設けられることが通常で、基台１５の厚みを薄くし且つ凹部１５ｂの深さを得るために基台１５の厚みを一部で増すための棒状部材取付部１５ａを基台１５に設け、そこに凹部１５ｂを穿つことが好ましい。なお、テレビ１１をスタンド設置する際、安定した設置を得るため、基台１５はテレビ１１の前面方向と背面方向に同程度の設置長さを有することが好ましい。なお、凹部１５ｂは貫通孔であってもよい。また、接続部１６ａ〜１６ｄは、鉤形の先端をもつ線状部材１４ａ〜１４ｄを引っかけることが可能な形状をもつなど、線状部材１４ａ〜１４ｄの先端の形状に合わせた形状をもたせればよい。
【００２３】
各線状部材１４ａ〜１４ｄは、各接続部１６ａ〜１６ｄと棒状部材１２の上端部１２ａとの間を接続する部材である。従って、棒状部材１２の上端部１２ａ（より具体的にはテレビ１１の凹部１１ｂと嵌合するやや下の部分）にも接続部１６ａ〜１６ｄのごとき接続部（図２の接続部１３ａ，１３ｂ及びそれらの奥の図示しない接続部）が設けられているか、或いは、棒状部材の上端部の所定位置に各線状部材１４ａ〜１４ｄが予め接続されていればよい。線状部材１４ａ〜１４ｄのそれぞれは、ワイヤやいわゆるピアノ線など金属製であることが好ましいが、強度が足りるものであればよい。
【００２４】
また、線状部材１４ａ〜１４ｄをたるませないために接続部１６ａ〜１６ｄや棒状部材１２側の接続部などにたるみを取るための例えばネジ状の引っ張り機構を設けておいてもよい。また、線状部材１４ａ〜１４ｄは、細径の棒状ステイ（ステイロッド）でも代替できる。その場合、棒状部材１２と底部との両端を差し込むだけの機構を採用するとよい。いずれの場合でも、線状部材１４ａ〜１４ｄは、置く或いは差し込む或いは引っかけるだけで素早く手軽に取付可能であり、コストも低く済ませることができるだけでなく、逆に直ぐに取り外しができ、直ぐ持ち運ぶこともできる。
【００２５】
また、線状部材が３本や４本、或いはそれ以上であった場合でも、基台１５上における各接続部（例えば接続部１６ａ〜１６ｄで示した取り付け部）の位置、並びに棒状部材１２上における各接続部（例えば接続部１３ａ，１３ｂ及びそれらに隠れて図示しない接続部で示した取り付け部）は、上面から見て各線状部材が均等な角度で配置されるような位置であることが好ましい。このような間隔（角度）で放射状に配置された構成とすることにより、より高い安定性が得られる。
【００２６】
上述のごとき構成により、製品購入後の設置時や移動後などに、図２のように、スタンドベースとなる基台１５をスタンド支柱となる棒状部材１２に嵌合して連結し、棒状部材１２にテレビ１１（実際にはテレビ１１の筐体）を嵌合して連結し、さらに線状部材１４を接続して安定化を図る。また、再度移動させるときには、この逆の手順で分解すればよい。そして、上述のごとき構成は、工具を必要とせず簡単にスタンドを取り付けることを可能としている。
【００２７】
図３は、本発明の他の実施形態に係るスタンド装置を備えた薄型電子機器の例を示す概観図で、図３（Ａ）はテレビを背面から見た概観図、図３（Ｂ）はテレビを側面から見た概観図を示している。図３において、２１はテレビ、２１ａはテレビ背面、２１ｂは収納部、２２は棒状部材、２２ａは棒状部材の上端部、２２ｂは棒状部材の下端部、２２ｃは棒状部材の回転軸である。また、図３では基台及び線状部材を図示せず省略しているが、テレビと棒状部材との接続構造を図１のそれと異ならしめた一構成例を示している。
【００２８】
図３で示す実施形態は、スタンド装置を備えた薄型のテレビ２１において、筐体背面２１ａに、棒状部材２２を収納するための収納部２１ｂをもつものである。棒状部材２２は、テレビ２１の底面部において上端部２２ａ（実際には上端部２２ａにある回転軸２２ｃ）を中心として、下端部２２ｂがテレビ２１の筐体背面２１ａに向かって回転可能なよう底面部に固定されている。そして、収納部２１ｂは、棒状部材２２の下端部２２ｂを筐体背面２１ａまで回転させたときに、棒状部材２２を収納可能に設けられている。当然、この棒状部材２２は、回転軸２２ｃを中心として、スタンドを出した状態にまで戻すように回転することも可能とする。
【００２９】
また、棒状部材２２を使用する状態のとき、収納部２１ｂに収納したときにも、棒状部材２２をテレビ２１の筐体に固定する機構を備えておく必要がある。このような機構は、適宜留め具を利用するなど様々な例が挙げられるが、その説明は省略する。このように、本実施形態では、棒状部材２２が、筐体裏面２１ａに揺動可能に支持されている。棒状部材２２はたたまれて収納部２１ｂに密着させると嵩張らないので、出荷する際の梱包時やユーザによる運搬時も含むテレビ２１の運搬時、さらには壁掛け時にも、有効に利用できる。
【００３０】
図４は、本発明の他の実施形態に係るスタンド装置を備えた薄型電子機器の例を示す概観図で、図４（Ａ）はテレビを背面から見た概観図、図４（Ｂ）はテレビを側面から見た概観図を示している。図４において、３１はテレビ、３１ａはテレビ背面、３１ｂは収納部、３１ｃはスライドレール、３２は棒状部材、３２ａは棒状部材の上端部、３２ｂは棒状部材の下端部である。また、図４では基台及び線状部材を図示せず省略しているが、テレビと棒状部材との接続構造を図１（及び図３）のそれと異ならしめた一構成例を示している。
【００３１】
図４で示す実施形態は、図３に示す実施形態と同様に、スタンド装置を備えた薄型のテレビ３１において、筐体背面３１ａに、棒状部材３２を収納するための収納部３１ｂをもつものである。本実施形態における、図３に示す実施形態と異なる機構について説明する。
【００３２】
収納部３１ｂは、棒状部材３２を上下方向にスライドさせるスライドレール３１ｃ等でなるスライド機構を備えるものとする。そして、収納部３１ｂは、このスライド機構により棒状部材３２の上端部３２ａを底面部までスライドさせたときに棒状部材３２をスライド機構に対して固定する固定機構と、その固定機構によって固定された棒状部材３２をスライド機構により上方向にスライド可能な状態にする固定解除機構とを備える。このように、スライド機構によって棒状部材３２を最下端にスライドさせたときに、棒状部材３２の上端部３２ａがテレビ３１の底面部に固定される。逆に、この状態から、スライド機構によって棒状部材３２を最上端にスライドさせたときに、棒状部材３２の下端部３２ｂがテレビ３１の底面部に固定されるよう構成しておけばよい。
【００３３】
このようなスライド機構については、棒状部材３２及び／又は収納部３１ｂを、適宜、レール状のスライド可能に噛み合う形状とするなど様々な例が挙げられるが、その説明は省略する。また、固定機構についても、留め具を利用するなど様々な例が挙げられるが、その説明は省略する。なお、段階的にスライドさせ固定させるような機構を設けておき、棒状部材３２の実質的な高さ、すなわちスタンドとしての高さを調整可能としてもよい。このように、本実施形態では、棒状部材３２が、筐体裏面３１ａにおいてスライド可能に支持されている。棒状部材３２はスライドされて収納部３１ｂに挿入すると嵩張らないので、出荷する際の梱包時やユーザによる運搬時も含むテレビ３１の運搬時、さらには壁掛け時にも、有効に利用できる。
【００３４】
図５は、本発明の他の実施形態に係るスタンド装置を備えた薄型電子機器の一例を示す概観図で、図６は、図５の薄型電子機器のスタンド装置の取り付け方法を説明するための側面図である。図５及び図６において、４はスタンド付きテレビ、４１はテレビ、４１ａはテレビ背面、４１ｂはテレビ底面の凹部、４２は棒状部材、４２ａは棒状部材の上端部、４２ｂは棒状部材の下端部、４３ａは棒状部材側の線状部材接続部、４４ａ，４４ｃは線状部材、４５は基台、４５ａは棒状部材取付部、４５ｂは凹部、４６ａ，４６ｃは基台側の線状部材接続部である。
【００３５】
図１乃至図４を参照して説明した実施形態では、安定性を得るために線状部材が３本以上であることが好ましい旨説明したが、図５及び図６を参照して説明する本実施形態のごとく凹部を斜めに設けることで２本での設置も可能となる。なお、線状部材は２本以上が好ましいが、電子機器の形状によっては１本でも問題なく設置可能である。以下、本実施形態について、図１乃至図４を参照して説明した実施形態と異なる点についてのみ説明する。
【００３６】
本実施形態では、少なくとも２本の線状部材４４ａ，４４ｃを備えるものとする。さらに、棒状部材４２は、基台４５の凹部４５ｂと嵌合する部分として下端部４２ｂに屈曲部をもち、凹部４５ｂは、基台４５の水平面に対し屈曲部の傾斜と同じ傾斜角をもつものとする。そして、基台４５上における各接続部４６ａ，４６ｃの位置は、棒状部材４２の屈曲部の屈曲位置より最下端側に、すなわちここでいうテレビ４１の前面側に位置する。本実施形態では、線状部材を少なくできるので、材料コストの面だけでなく、取付及び取り外しもより容易となる。
【００３７】
以上、本発明に係る薄型電子機器としてＬＣＤパネルを筐体内に備えたテレビを例に挙げて説明したが、本発明に係る薄型電子機器としては、ＬＣＤパネルの他に、ＰＤＰ、ＥＬ（Ｅｌｅｃｔｒｏ  Ｌｕｍｉｎｅｓｃｅｎｃｅ）パネル、ＳＥＤ（Ｓｕｒｆａｃｅ−ｃｏｎｄｕｃｔｉｏｎ  Ｅｒｅｃｔｒｏｎ−ｅｍｉｔｔｅｒ  Ｄｉｓｐｌａｙ）パネル、ＬＥＤ（Ｌｉｇｈｔ  Ｅｍｉｔｔｉｎｇ  Ｄｉｏｄｅ）パネル、ＶＦＤ（Ｖａｃｕｕｍ  Ｆｌｕｏｒｅｓｃｅｎｔ  Ｄｉｓｐｌｙ、蛍光表示管）パネル、ＦＥＤ（Ｆｉｅｌｄ  Ｅｍｉｓｓｉｏｎ  Ｄｉｓｐｌｙ）パネル等の表示パネルを用いた薄型表示装置が好適である。これら表示パネルは、当然ＰＣ用のモニタとして使用されるものとしても適用可能である。さらに、本発明に係る薄型電子機器としては、薄型表示装置に限ったものではなく、例えば薄型のスピーカや薄型で縦置き構造のＣＤ（Ｃｏｍｐａｃｔ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ）プレーヤなど、各種電子機器が適用可能である。
【００３８】
このように、本発明に係るスタンド装置は、特に平面的な出力部（画像表示部や音声出力部等）や入力部（操作部や媒体入力部等）をもつ薄型の電子機器を支持し、出力部や入力部の平面がほぼ鉛直方向に立たせて設置するために有用である。
【００３９】
さらに、本発明に係る電子機器が持ち運び可能な可搬型のものであれば、スタンド装置の使用／不使用の利便性をより得られる。その際には、設置時や移動時を考慮して、テレビ等の電子機器本体に持ち運び用の取手（図示せず）を設けておくことが好ましい。また、本発明では、逆に大型の電子機器であるほど、梱包時及び運搬時の利便性をより得られる。
【図面の簡単な説明】
【００４０】
【図１】本発明の一実施形態に係るスタンド装置を備えた薄型電子機器の一例を示す概観図である。
【図２】図１の薄型電子機器のスタンド装置の取り付け方法を説明するための側面図である。
【図３】本発明の他の実施形態に係るスタンド装置を備えた薄型電子機器の例を示す概観図である。
【図４】本発明の他の実施形態に係るスタンド装置を備えた薄型電子機器の例を示す概観図である。
【図５】本発明の他の実施形態に係るスタンド装置を備えた薄型電子機器の一例を示す概観図である。
【図６】図５の薄型電子機器のスタンド装置の取り付け方法を説明するための側面図である。
【符号の説明】
【００４１】
１，４…スタンド装置付きテレビジョン受像機（スタンド付きテレビ）、１１，２１，３１，４１…テレビジョン受像機（テレビ）、１１ａ，２１ａ，３１ａ，４１ａ…テレビ背面、１１ｂ，４１ｂ…テレビ底面の凹部、１２，２２，３２，４２…棒状部材、１２ａ，２２ａ，３２ａ，４２ａ…棒状部材の上端部、１２ｂ，２２ｂ，３２ｂ，４２ｂ…棒状部材の下端部、１３ａ，１３ｂ，４３ａ…棒状部材側の線状部材接続部、１４ａ，１４ｂ，１４ｃ，１４ｄ，４４ａ，４４ｃ…線状部材、１５，４５…基台、１５ａ，４５ａ…棒状部材取付部、１５ｂ，４５ｂ…凹部、１６ａ，１６ｂ，１６ｃ，１６ｄ，４６ａ，４６ｃ…基台側の線状部材接続部、２１ｂ，３１ｂ…収納部、２２ｃ…棒状部材の回転軸、３１ｃ…スライドレール。
【図１】
2006343653.tif 000003
【図２】
2006343653.tif 000004
【図３】
2006343653.tif 000005
【図４】
2006343653.tif 000006
【図５】
2006343653.tif 000007
【図６】
2006343653.tif 000008